(57)【要約】      （修正有）【課題】例えばオフィスビル等における部屋のドア付近に人が存在することを的確に検知でき、人とドアとの衝突防止対策に寄与し得るとともに、タイルカーペットと互換性があり簡略に取り換えできるタイルカーペット型のマットスイッチを実現し提供する。【解決手段】タイルカーペット型のマットスイッチ１は、床面の一部を形成する平坦で弾性を有する上板部２と、この上板部２の下面側に配置した上板部２を経て作用する押圧力の有無に応答してオン、オフ動作をする薄型平板状のスイッチ素子２１と、上板部２の下面側で、その外周部全体にわたってスイッチ素子２１の側方を囲むように配置した弾性を有する枠板部３と、スイッチ素子２１の設置面３２側に点在配置した設置用弾性体４とを具備し、タイルカーペットと縦横同寸法、同厚にしてタイルカーペットと互換性のある形態としたものである。【選択図】図２
0003161478.tif 000002
【実用新案登録請求の範囲】
【請求項１】
床面の一部を形成する平坦で弾性を有する上板部と、
この上板部の下面側に配置した前記上板部を経て作用する押圧力の有無に応答してオン、オフ動作をする薄型平板状のスイッチ素子と、
を具備し、
タイルカーペットと縦横同寸法、同厚にしてタイルカーペットと互換性のある形態としたことを特徴とするタイルカーペット型のマットスイッチ。
【請求項２】
床面の一部を形成する平坦で弾性を有する上板部と、
この上板部の下面側に配置した前記上板部を経て作用する押圧力の有無に応答してオン、オフ動作をする薄型平板状のスイッチ素子と、
前記上板部の下面側で、その外周部全体にわたって前記スイッチ素子の側方を囲むように配置した弾性を有する枠板部と、
前記スイッチ素子の設置面側に点在配置した設置用弾性体と、
を具備し、
タイルカーペットと縦横同寸法、同厚にしてタイルカーペットと互換性のある形態としたことを特徴とするタイルカーペット型のマットスイッチ。
【請求項３】
床面の一部を形成する平坦で弾性を有する上板部と、
この上板部の下面側に配置した前記上板部を経て作用する押圧力の有無に応答してオン、オフ動作をする薄型平板状のスイッチ素子と、前記上板部の下面側で、その外周部全体にわたって前記スイッチ素子の側方を囲むように配置した弾性を有する枠板部と、
前記スイッチ素子の設置面側に点在配置した設置用弾性体と、
前記上板部、枠板部、スイッチ素子及び設置用弾性体の全体を被い、縫製により止着した補強被覆材と、
を具備し、
タイルカーペットと縦横同寸法、同厚にしてタイルカーペットと互換性のある形態としたことを特徴とするタイルカーペット型のマットスイッチ。
【考案の詳細な説明】
【技術分野】
【０００１】
本考案は、例えばオフィスビル等々における部屋のドア付近に人が存在することを的確に検知でき、人とドアとの衝突防止対策に寄与し得るとともに、タイルカーペットと互換性があり簡略に取り換えできるタイルカーペット型のマットスイッチに関するものである。
【背景技術】
【０００２】
例えば、オフィスビル等における各種業務用の部屋の床は、タイルカーペット敷きの床として構築されている場合が極めて多い。
【０００３】
このような部屋において、ドア付近の床面上にある人がいて、この状態で別の人が外部からドアを急に開けたような場合、部屋内の人にドアが衝突して思わぬ怪我をしてしまうような事態が多々生じる。
【０００４】
このため、オフィスビル等における部屋の場合、ドア付近に人が存在することを予め予告し、上述したような不都合な事態を解消することが要請されるところである。
【０００５】
ところで、床面上の人の存在を検知するための手段として、外被を合成樹脂材とした薄型マットスイッチや、ゴム外被の薄型マットスイッチは存在するが、上述した事務所等の部屋における多数のタイルカーペットを敷き詰めたタイルカーペット床に対して、個別のタイルカーペットと互換性があり簡略に取り換えでき、かつ、人体等の存在を検知し得るようなマットスイッチは存在しないのが実情である。
【０００６】
特許文献１には、圧電センサーをタイルカーペット等に埋め込み、それを踏むことで圧電センサーが動作と、ＩＰカメラを起動して状況を画像信号により緊急通報するように構成した人身緊急時通報システムが提案されている。しかし、この特許文献１の場合、タイルカーペットと互換性を有するような構成ではない。
【０００７】
特許文献２には、タイルカーペットと同一サイズで、集塵性・塵埃捕捉性・吸水性・デザイン性を向上したとするタイルマットが提案されている。
【０００８】
しかしながら、この特許文献２の場合においても、人体等の存在を検知し得るような構成ではない。
【先行技術文献】
【特許文献】
【０００９】
【特許文献１】特開２００５−３３２２８８号公報
【特許文献２】特開２００６−４６０３３号公報
【考案の概要】
【考案が解決しようとする課題】
【００１０】
本考案が解決しようとする問題点は、オフィスビル等における部屋のドア付近に人が存在することを的確に検知でき、人とドアとの衝突防止対策に寄与し得るとともに、タイルカーペットと互換性があり簡略に取り換えできるようなマットスイッチが存在しない点である。
【課題を解決するための手段】
【００１１】
本考案に係るタイルカーペット型のマットスイッチは、床面の一部を形成する平坦で弾性を有する上板部と、この上板部の下面側に配置した前記上板部を経て作用する押圧力の有無に応答してオン、オフ動作をする薄型平板状のスイッチ素子と、を具備し、タイルカーペットと縦横同寸法、同厚にしてタイルカーペットと互換性のある形態としたことを最も主要な特徴とする。
【考案の効果】
【００１２】
請求項１記載の考案によれば、タイルカーペット敷の部屋のドア付近に人が存在することを的確に検知でき、人とドアとの衝突防止対策に寄与し得るとともに、タイルカーペットと互換性があり簡略に取り換えできる斬新なタイルカーペット型のマットスイッチを実現し提供することができる。
【００１３】
請求項２記載の考案によれば、床面の一部を形成する平坦で弾性を有する上板部と、この上板部の下面側に配置した前記上板部を経て作用する押圧力の有無に応答してオン、オフ動作をする薄型平板状のスイッチ素子と、前記上板部の下面側で、その外周部全体にわたって前記スイッチ素子の側方を囲むように配置した弾性を有する枠板部と、前記スイッチ素子の設置面側に点在配置した設置用弾性体と、を具備し、タイルカーペットと縦横同寸法、同厚にしてタイルカーペットと互換性のある形態とした構成の基に、請求項１記載の考案の場合と同様に、タイルカーペット敷の部屋のドア付近に人が存在することを的確に検知でき、人とドアとの衝突防止対策に寄与し得るとともに、タイルカーペットと互換性があり簡略に取り換えできる斬新なタイルカーペット型のマットスイッチを実現し提供することができる。
【００１４】
請求項３記載の考案によれば、請求項２記載の考案の場合と同様、タイルカーペット敷の部屋のドア付近に人が存在することを的確に検知でき、人とドアとの衝突防止対策に寄与し得るとともに、タイルカーペットと互換性があり簡略に取り換えでき、かつ、補強被覆材を採用したことにより、強度が大きく耐久性を向上させた斬新なタイルカーペット型のマットスイッチを実現し提供することができる。
【図面の簡単な説明】
【００１５】
【図１】図１は本考案の実施例１に係るタイルカーペット型のマットスイッチの平面図である。
【図２】図２は本実施例１に係るタイルカーペット型のマットスイッチの概略断面図である。
【図３】図３は本実施例１に係るタイルカーペット型のマットスイッチにおける薄型平板状のスイッチ素子及び設置用弾性体を底面側から見た状態を示す図である。
【図４】図４は図３のＡ−Ａ線断面図である。
【図５】図５は図４のＡ−Ａ線断面図を上下反転した状態を示す断面図である。
【図６】図６は本実施例１に係るタイルカーペット型のマットスイッチにおけるリード線取り付け部の部分拡大図である。
【図７】図７は本実施例１に係るタイルカーペット型のマットスイッチにおける薄型平板状のスイッチ素子を示す拡大断面図である。
【図８】図８は本実施例１に係るタイルカーペット型のマットスイッチの具体的使用例を示す図である。
【図９】図９は本実施例１に係るタイルカーペット型のマットスイッチに警報発生部を付加した構成を示すブロック図である。
【図１０】図１０は本考案の実施例２に係るタイルカーペット型のマットスイッチの平面図である。
【図１１】図１１は本実施例２に係るタイルカーペット型のマットスイッチの概略断面図である。
【考案を実施するための形態】
【００１６】
本考案は、オフィスビル等における部屋のドア付近に人が存在することを的確に検知でき、人とドアとの衝突防止対策に寄与することができるとともに、タイルカーペットと互換性があり簡略に取り換えできるタイルカーペット型のマットスイッチを実現し提供するという目的を、床面の一部を形成する平坦で弾性を有する上板部と、この上板部の下面側に配置した前記上板部を経て作用する押圧力の有無に応答してオン、オフ動作をする薄型平板状のスイッチ素子と、前記上板部の下面側で、その外周部全体にわたって前記スイッチ素子の側方を囲むように配置した弾性を有する枠板部と、前記スイッチ素子の設置面側に点在配置した設置用弾性体と、を具備し、タイルカーペットと縦横同寸法、同厚にしてタイルカーペットと互換性のある形態とした構成により実現した。
【実施例１】
【００１７】
以下、本考案の実施例１に係るタイルカーペット型のマットスイッチについて図１乃至図９を参照して詳細に説明する。
【００１８】
本実施例１に係るタイルカーペット型のマットスイッチ１は、図１、図２に示すように、床面の一部を形成する平坦で弾性を有する例えばポリプロピレン材からなる正方形状で薄型平板状の上板部２と、この上板部２の下面側に例えば接着により配置した前記上板部２を経て作用する押圧力の有無に応答してオン、オフ動作をする薄型平板状のスイッチ素子２１と、前記上板部２の下面側で、その四辺外周部全体にわたって前記スイッチ素子２１の側方を囲むように配置した弾性を有する例えばポリプロピレン材からなる薄型帯状の枠板部３と、前記スイッチ素子２１の設置面側に間隔隔て点在配置した複数の細帯状で弾性を有する設置用弾性体４と、前記スイッチ素子２１の端部と電気的に接続した例えば２心でフラット形態のリード線５と、を有している。
【００１９】
前記マットスイッチ１は、その全体寸法として、例えば縦横５０×５０ｃｍ、厚さ７ｍｍの寸法に設定し、図８に示すような、例えばオフィスビル等における各種業務用の部屋３０の設置面３２に敷き詰めた既存のタイルカーペット３１と縦横同寸法、同厚にしてこれらのタイルカーペット３１と互換性のある形態としている。
【００２０】
次に、図３乃至図７を参照して、前記マットスイッチ１の各部の詳細構造について説明する。
【００２１】
図３、図４及び図６は、前記マットスイッチ１における枠板部３、リード線５及びスイッチ素子２１、設置用弾性体４についての接合構造及び配線構造を示すものである。
【００２２】
また、図７はスイッチ素子２１の拡大断面を示すものである。なお、図５は図４に示す断面構造を上下反転した状態の断面を示すものである。
【００２３】
前記上板部２としては、ポリプロピレン材の他、例えば二枚のフィルム状ポリプロピレン材の間に発泡材を挟み込んだ多層構造のものを使用することも可能である。
【００２４】
前記スイッチ素子２１は、図７に拡大して示すように、片面側をアルミ箔等の導電材２２ａ、反対面側を例えばペット（ポリエチレンテレフタレート）フィルム等の絶縁材２２ｂとした一対のフィルム状の電極板２２、２２を、前記片面同士を対向配置し、両電極板２２、２２の周囲間に隅絶縁材２３を、両電極板２２、２２の中間部分に複数の帯状絶縁材２３ａを、間隔をおいて配置し一体化することにより構成している。
【００２５】
前記枠板部３は、図３に示すように、前記上板部２の下面における四辺外周部全体にわたって両面テープ１１又は接着剤を用いて接着固定するように構成している。
【００２６】
また、リード線５の一対のリード線端部５ａ、５ｂと、前記スイッチ素子２１における両電極板２２、２２の導電材２２ａ、２２ａの端部とを、図６に拡大して示すように、各々接続し、本止テープ（ゴムシート粘着テープ）１２を用いて上板部２の下面側に接着固定し、その上から四角形状に切断した例えば粘着テープ（ポリエステルフィルム粘着テープ）１３を上板部２の裏面側に貼り付け、これらを上板部２の下面側に一体的に接着固定するように構成している。
【００２７】
なお、前記上板部２の下面側に配置するスイッチ素子２１の具体的形態は、特に限定するものではない。
【００２８】
次に、図８、図９を参照して、本実施例１に係るタイルカーペット型のマットスイッチ１の具体的使用態様及び動作について説明する。
【００２９】
本実施例１に係るタイルカーペット型のマットスイッチ１の具体的使用態様は、図８に示すように、オフィスビル等における各種業務用の部屋３０の例えば出入用の内開き型のドア３３付近の設置面３２に敷き詰めた既存のタイルカーペット３１を剥がし、この部分に互換性を有する前記マットスイッチ１を敷くとともに、前記ドア３３の外側の通路を構成する側壁３４に例えばブザー音を発する警報発生部３５を取り付け、前記マットスイッチ１と警報発生部３５とをリード線５により接続する
【００３０】
これにより、部屋３０内のドア３３の付近のマットスイッチ１上にある人が存在する場合、この人の体重によりマットスイッチ１のスイッチ素子２１がオン動作し、スイッチ素子２１のオン動作により前記警報発生部３５から例えばブザー音が発せられる。
【００３１】
この結果、部屋３０の外部からこの部屋３０に入ろうとする別の人は、部屋３０内のドア３３の付近に人がいることをブザー音により認識でき、ドア３３を急激に部屋３０の内方に開く動作を実行しなくなる。
【００３２】
この結果、部屋３０内のドア３３の付近にいる人がドア３３に衝突して思わぬ怪我をしてしまうような不都合な事態を無くすことができる。
【００３３】
以上の例は、あくまで一例であり、この他、前記ドア３３を外開き型とし、前記マットスイッチ１のスイッチ素子２１のオン動作により、前記ドア３３を自動的に部屋３０の外側に開く自動ドア型の構成とすることも勿論可能である。
【００３４】
以上説明したように、本実施例１によれば、例えばオフィスビル等における部屋３０のドア３３の付近に人が存在することを的確に検知でき、人とドア３３との衝突防止対策に寄与し得るとともに、タイルカーペット３１と互換性があり簡略に取り換えて使用に供することができる斬新なタイルカーペット型のマットスイッチ１を実現し提供することができる。
【実施例２】
【００３５】
次に、図１０、図１１を参照して、本考案の実施例２に係るタイルカーペット型のマットスイッチ１Ａについて説明する。
【００３６】
本実施例２に係るタイルカーペット型のマットスイッチ１Ａは、基本的に実施例１のマットスイッチ１と同様な構成であるが、前記マットスイッチ１を構成する上板部２、枠板部３、スイッチ素子２１及び設置用弾性体４の全体をポリアミド繊維材又は帆布等からなる強度の大きい補強被覆材４１で被い、図１１に示すように、その裏面側を縫製により止着して縫製部４２（図１１において×印で示す）を形成して補強被覆材４１とマットスイッチ１とを一体化した構成としたものである。
【００３７】
この場合、前記マットスイッチ１Ａを構成するマットスイッチ１としては、実施例１のマットスイッチ１の場合よりも縦横及び厚さの各寸法を補強被覆材４１の厚さを考慮して僅かに小さい寸法としたものを採用し、全体として前記タイルカーペット３１と縦横同寸法、同厚にしてタイルカーペット３１と互換性のある形態するものである。
【００３８】
本実施例２によれば、実施例１の場合と同様、例えばオフィスビル等における部屋３０のドア３３の付近に人が存在することを的確に検知でき、人とドア３３との衝突防止対策に寄与し得るとともに、タイルカーペット３１と互換性があり簡略に取り換えて使用に供することができ、しかも、補強被覆材４１を採用していることからより強度が大きく耐久性を向上させた斬新なタイルカーペット型のマットスイッチ１Ａを実現し提供することができる。
【産業上の利用可能性】
【００３９】
本考案のタイルカーペット型のマットスイッチは、オフィスビル等における部屋に敷設したタイルカーペットに換えて使用できることは勿論、一般家庭、ホテル、公共施設等を問わずタイルカーペットを敷設している部屋であれば広範に適用可能であり、更に、例えば建物出入口の内部側の防犯用、特定の部屋のセキュリティ管理用等としても応用可能である。
また、博物館などの床に本考案のタイルカーペット型のマットスイッチを展示物の概略正面に配置し、見学者がマットスイッチに乗ったのを検知して説明テープを再生するなどの起動用スイッチにも応用可能である。
【符号の説明】
【００４０】
１    マットスイッチ
１Ａ  マットスイッチ
２    上板部
３    枠板部
４    設置用弾性体
５    リード線
５ａ  リード線端部
５ｂ  リード線端部
１１    両面テープ
１２    本止テープ
１３    粘着テープ
２１    スイッチ素子
２２    電極板
２２ａ  導電材
２２ｂ  絶縁材
２３    隅絶縁材
２３ａ  帯状絶縁材
３０    部屋
３１    タイルカーペット
３２    設置面
３３    ドア
３４    側壁
３５    警報発生部
４１    補強被覆材
４２    縫製部
【図１】
0003161478.tif 000003
【図２】
0003161478.tif 000004
【図３】
0003161478.tif 000005
【図４】
0003161478.tif 000006
【図５】
0003161478.tif 000007
【図６】
0003161478.tif 000008
【図７】
0003161478.tif 000009
【図８】
0003161478.tif 000010
【図９】
0003161478.tif 000011
【図１０】
0003161478.tif 000012
【図１１】
0003161478.tif 000013